(57)【要約】【課題】  ハンドルとしてボリュームを使ったパチンコ台のＯＮ／ＯＦＦ信号を形成できるようにする。【解決手段】  ハンドル５４が回転されると、これに連動してボリューム５１が回転し、ボリューム５１の出力電圧が変化する。パチンコ台５０にハンドル回転検出装置１を取り付け、ボリューム５１の出力電圧をハンドル回転検出装置１に送る。ハンドル回転検出装置１は、ボリューム５１の出力電圧と閾値電圧とを比較して、ＯＮ／ＯＦＦ信号を出力する。実際のボリュームの出力電圧に応じて、ＯＦＦ時電圧と閾値電圧とを調整するキャリブレーション処理を行えるようにして、メーカーや機種の異なる各種のパチンコ台に対応できるようにする。ＯＮ／ＯＦＦ信号により、ユーザが玉を打ち出して遊技を行っているのか否かを判断でき、不正使用が防げる。【選択図】        図４
2007151926.tif 000002
【特許請求の範囲】
【請求項１】
ハンドルの回転に連動するボリュームの出力電圧により玉の打ち出しを制御するようにしたパチンコ台に取り付けるハンドル回転検出装置であって、
前記ボリュームの出力電圧が入力される入力手段と、
前記ボリュームの出力電圧と閾値電圧とを比較し、この比較出力に応じて、玉の打ち出しを行っている状態であるかどうかを示すＯＮ／ＯＦＦ信号を形成する制御手段と、
前記制御手段で形成されたＯＮ／ＯＦＦ信号を出力する出力手段と
を備えるようにしたことを特徴とするパチンコ台のハンドル回転検出装置。
【請求項２】
前記制御手段は、ボリュームの出力電圧に応じて、前記ハンドルを始端に設定したときの前記ボリュームの出力電圧に相当するＯＦＦ時電圧と、前記玉の打ち出しを行っている状態であるかどうかを判定する閾値電圧とを調整するキャリブレーション処理を行えるようにしたことを特徴とする請求項１に記載のハンドル回転検出装置。
【請求項３】
前記キャリブレーション処理では、前記ハンドルを始端に設定したときの前記ボリュームの出力電圧を取り込んで、前記ＯＦＦ時電圧を設定するようにしたことを特徴とする請求項２に記載のハンドル回転検出装置。
【請求項４】
前記キャリブレーション処理では、前記ハンドルを玉の打ち出しを行わない状態と玉の打ち出しを行う状態との境界付近に設定し、閾値電圧を微少電圧だけ段階的に変化させながら、前記ボリュームの出力電圧と閾値電圧の設定値とを比較し、前記閾値電圧の設定値を実際の閾値電圧に近づけていくようにしたことを特徴とする請求項２に記載のハンドル回転検出装置。
【請求項５】
更に、玉の打ち出しを行う状態かどうかにより点灯する第１のインジケータを設けるようにしたことを特徴とする請求項１に記載のパチンコ台のハンドル回転検出装置。
【請求項６】
更に、前記キャリブレーション処理を行っているかどうかを示すと共に、前記ボリュームの検出電圧値に応じて点滅間隔が変化する第２のインジケータを設けるようにしたことを特徴とする請求項１に記載のパチンコ台のハンドル回転検出装置。
【発明の詳細な説明】
【技術分野】
【０００１】
本発明は、ハンドルの回転に連動するボリュームの出力電圧により玉の打ち出しを制御するようにしたパチンコ台に取り付けて、パチンコ台が玉の打ち出し状態にあるかどうかを示すＯＮ／ＯＦＦ信号を形成するパチンコ台のハンドル回転検出装置に関する。
【背景技術】
【０００２】
従来のパチンコ台は、その前面扉にパチンコ玉を貯留する上受皿が設けられており、その下方右側の前面扉にはハンドルが設けられている。このハンドルを回転させることで、玉の打ち出しが開始される。
【０００３】
なお、通常のパチンコ台では、遊技が行われていないときには、スプリングによりハンドルは左端の初期位置に付勢されている。このときには、玉の打ち出しが行われていない。この状態を、以下、打玉ＯＦＦ状態と称する。ハンドルを右側に回転させると、玉の打ち出しが開始される。この状態を、以下、打玉ＯＮ状態と称する。
【０００４】
従来のパチンコ台では、ハンドルの回転はマイクロスイッチにより検出されており、ハンドルを付勢するスプリングにより、玉の打ち出しの強弱を調整するようにしている。これに対して、近年のパチンコ台には、例えば特許文献１に示されるように、ハンドルにボリュームが用いられるようになってきている。ハンドルの回転の検出にボリュームを使うと、ハンドルの回転角度に応じて、打ち出す玉の強さを精度良く制御できるようになる。
【特許文献１】特開２００５−２７８８２号公報
【発明の開示】
【発明が解決しようとする課題】
【０００５】
ＲＯＭ(Read Only Memory)の交換、強力な電波の照射等、様々なパチンコ台の不正が後を絶たない。このようなパチンコ台の不正を行っている者は、玉の打ち出しを行わず、不正行為に専念していることが多い。したがって、打玉ＯＮ状態と打玉ＯＦＦ状態とを示す信号（以下、ＯＮ／ＯＦＦ信号と称する）が得られれば、このＯＮ／ＯＦＦ信号により、不正な行為を行っている者の発覚が容易となる。
【０００６】
ハンドルにマイクロスイッチを使用したパチンコ台では、マイクロスイッチのＯＮ／ＯＦＦと打玉ＯＮ状態／打玉ＯＦＦ状態とが一致するため、ＯＮ／ＯＦＦ信号を簡単に作ることができる。
【０００７】
ところが、ハンドルにボリュームを用いたパチンコ台では、ハンドルの回転角度とそれに対するボリュームの出力電圧との関係や、ボリュームの出力電圧と玉の打ち出しとの関係は、メーカーや機種毎に異なっており、ハンドルのボリュームの出力電圧から、簡単に、ＯＮ／ＯＦＦ信号を得ることは難しい。
【０００８】
本発明は、上述の課題を鑑み、ハンドルとしてボリュームを使ったパチンコ台のＯＮ／ＯＦＦ信号を形成することができると共に、メーカーや機種の異なる各種のパチンコ台に対応できるようにしたパチンコ台のハンドル回転検出装置を提供することを目的とする。
【課題を解決するための手段】
【０００９】
上述の課題を解決するために、本発明は、ハンドルの回転に連動するボリュームの出力電圧により玉の打ち出しを制御するようにしたパチンコ台に取り付けるハンドル回転検出装置であって、ボリュームの出力電圧が入力される入力手段と、ボリュームの出力電圧と閾値電圧とを比較し、この比較出力に応じて、玉の打ち出しを行っている状態であるかどうかを示すＯＮ／ＯＦＦ信号を形成する制御手段と、制御手段で形成されたＯＮ／ＯＦＦ信号を出力する出力手段とを備えるようにしたことを特徴とする。
【００１０】
好ましくは、制御手段は、ボリュームの出力電圧に応じて、ハンドルを始端に設定したときのボリュームの出力電圧に相当するＯＦＦ時電圧と、玉の打ち出しを行っている状態であるかどうかを判定する閾値電圧とを調整するキャリブレーション処理を行えるようにしたことを特徴とする。
【００１１】
好ましくは、キャリブレーション処理では、ハンドルを始端に設定したときのボリュームの出力電圧を取り込んで、ＯＦＦ時電圧を設定するようにしたことを特徴とする。
【００１２】
好ましくは、キャリブレーション処理では、ハンドルを玉の打ち出しを行わない状態と玉の打ち出しを行う状態との境界付近に設定し、閾値電圧を微少電圧だけ段階的に変化させながら、ボリュームの出力電圧と閾値電圧の設定値とを比較し、閾値電圧の設定値を実際の閾値電圧に近づけていくようにしたことを特徴とする。
【００１３】
好ましくは、更に、玉の打ち出しを行う状態かどうかにより点灯する第１のインジケータを設けるようにしたことを特徴とする。
【００１４】
好ましくは、更に、キャリブレーション処理を行っているかどうかを示すと共に、ボリュームの検出電圧値に応じて点滅間隔が変化する第２のインジケータを設けるようにしたことを特徴とする。
【発明の効果】
【００１５】
本発明によれば、ハンドルの回転に連動するボリュームの出力電圧により玉の打ち出しを制御するようにしたパチンコ台に取り付けるハンドル回転検出装置であって、ボリュームの出力電圧を入力する入力手段と、ボリュームの出力電圧と閾値電圧とを比較し、この比較出力に応じて、玉の打ち出しを行っている状態であるかどうかを示すＯＮ／ＯＦＦ信号を形成する制御手段と、制御手段で形成されたＯＮ／ＯＦＦ信号を出力する出力手段とを備えるようにしているので、ハンドルの回転に連動するボリュームの出力電圧により玉の打ち出しを制御するようにしたパチンコ台に取り付けて、パチンコ台が玉の打ち出し状態にあるかどうかを判断するＯＮ／ＯＦＦ信号を形成することができる。
【００１６】
また、本発明によれば、制御手段は、ボリュームの出力電圧に応じて、ハンドルを始端に設定したときのボリュームの出力電圧に相当するＯＦＦ時電圧と、玉の打ち出しを行っている状態であるかどうかを判定する閾値電圧とを調整するキャリブレーション処理を行えるようにしているので、メーカーや機種の異なる各種のパチンコ台に対応できる。
【００１７】
また、本発明によれば、キャリブレーション処理では、ハンドルを始端に設定したときのボリュームの出力電圧を取り込んで、ＯＦＦ時電圧を設定するようにしているので、メーカーや機種の異なる各種のパチンコ台に対応できる。
【００１８】
また、本発明によれば、キャリブレーション処理では、ハンドルを玉の打ち出しを行わない状態と玉の打ち出しを行う状態との境界付近に設定し、閾値電圧を微少電圧だけ段階的に変化させながら、ボリュームの出力電圧と閾値電圧の設定値とを比較し、閾値電圧の設定値を実際の閾値電圧に近づけていくようにしているので、メーカーや機種の異なる各種のパチンコ台に対応できる。
【００１９】
また、本発明によれば、玉の打ち出しを行う状態かどうかにより点灯する第１のインジケータを設けるようにしているので、打玉ＯＮ状態と打玉ＯＦＦ状態とを一見して識別できる。
【００２０】
また、本発明によれば、キャリブレーション処理を行っているかどうかを示すと共に、ボリュームの検出電圧値に応じて点滅間隔が変化する第２のインジケータを設けるようにしているので、キャリブレーション状態を一見して識別できる。
【発明を実施するための最良の形態】
【００２１】
以下、本発明の実施の形態について図面を参照しながら説明する。図１は、本発明の実施形態のハンドル回転検出装置１の構成を示すものである。
【００２２】
図１において、１１は１チップのマイクロコンピュータである。マイクロコンピュータ１１としては、例えば、マイクロチップテクノロジ社製のＰＩＣ１２Ｆ６７５が用いられる。このマイクロコンピュータ１１は、図２に示すように、ＣＰＵ(Central Processing Unit)１２と、フラッシュプログラムメモリ１３と、ＲＡＭ(Random Access Memory)１４と、ＥＥＰＲＯＭ(Electrically Erasable and Programmable Read Only Memory)１５と、Ａ／Ｄコンバータ１６と、タイマ１７と、Ｉ／Ｏポート１８と、内部クロックを発振するオシレータ１９とからなり、図３に示すように、８個のピンＰｉｎ１〜Ｐｉｎ８を有している。これらのピンＰｉｎ１〜Ｐｉｎ８の働きは、以下の通りである。
Ｐｉｎ１：電源のプラスに接続する。
Ｐｉｎ２：ＧＰ５／Ｔ１ＣＫＩ／ＯＳＣ１／ＣＬＫＩＮの４種類の機能を選択して使用できる。
Ｐｉｎ３：ＧＰ４／ＡＮ３／Ｔ１Ｇ／ＯＳＣ２／ＣＬＫＯＵＴの５種類の機能を選択して使用できる。
Ｐｉｎ４：ＧＰ３／ＭＣＬＲ／Ｖｐｐの３種類の機能を選択して使用できる。
Ｐｉｎ５：ＧＰ２／ＡＮ２／Ｔ０ＣＫＩ／ＩＮＴ／ＣＯＵＴの５種類の機能を選択して使用できる。
Ｐｉｎ６：ＧＰ１／ＡＮ１／ＣＩＮ−／Ｖｒｅｆ／ＩＣＳＰＣＬＫの５種類の機能を選択して使用できる。
Ｐｉｎ７：ＧＰ０／ＡＮ０／ＣＩＮ＋／ＩＣＳＰＤＡＴの４種類の機能を選択して使用できる。
Ｐｉｎ８：電源のマイナスに接続する。
【００２３】
なお、ＧＰ０からＧＰ５は、ディジタル入出力である。ＡＮ０からＡＮ３は、Ａ／Ｄチャンネルの入力である。ＣＩＮ−及びＣＩＮ＋はコンパレータの入力である。Ｖｒｅｆは外部リファレンス電圧である。ＣＯＵＴはコンパレータの出力である。Ｔ０ＣＫＩ及びＴ１ＣＫＩはＴＭＲ０及びＴＭＲ１のクロックである。Ｔ１ＧはＴＭＲ１ゲートである。ＣＬＫＩＮ及びＣＬＫＯＵＴは外部クロックの入出力である。ＯＳＣ１、ＯＳＣ２は内部クロックの出力である。ＭＣＬＲは外部リセットの入力である。ＩＣＳＰＣＬＫはシリアルプログラミングクロックである。ＩＣＳＰＤＡＴはシリアルプログラミングＩ／Ｏである。ＩＮＴは外部割り込みである。
【００２４】
本発明の実施形態では、後に説明するように、ピンＰｉｎ２は、ＬＥＤ３３を発光させるためのディジタル出力として使用される。ピンＰｉｎ３は、ＬＥＤ３５を発光させるためのディジタル出力として使用される。ピンＰｉｎ４は不使用である。ピンＰｉｎ５は、ボリュームのアナログ信号を入力するＡ／Ｄチャンネルとして使用される。ピンＰｉｎ６は、ＯＮ／ＯＦＦ信号を出力するためのディジタル出力として使用される。ピンＰｉｎ７は、スイッチＳＷ１からの入力を行うディジタル入力として使用される。
【００２５】
また、本発明の実施形態のハンドル回転検出装置１からは、５つの端子２１〜２５が導出されている。端子２１は電源端子であり、この電源端子２１には、例えば＋５Ｖの電源が供給される。端子２２は、ボリュームからのアナログ電圧の入力端子である。端子２３及び端子２５は、接地端子である。端子２４は、ＯＮ／ＯＦＦ信号の出力端子である。
【００２６】
図１において、マイクロコンピュータ１１のピンＰｉｎ１は電源ライン３１に接続される。
【００２７】
マイクロコンピュータ１１のピンＰｉｎ２と接地ライン３０との間に、抵抗３２、ＬＥＤ３３が接続される。マイクロコンピュータ１１のピンＰｉｎ２は、ＬＥＤ３３を発光させるためのディジタル出力として使用される。ＬＥＤ３３はモニタ用であり、打玉ＯＮ状態と打玉ＯＦＦ状態とに応じて点灯するインジケータとなる。
【００２８】
マイクロコンピュータ１１のピンＰｉｎ３と接地ライン３０との間に、抵抗３４、ＬＥＤ３５が接続される。マイクロコンピュータ１１のピンＰｉｎ３は、ＬＥＤ３５を発光させるためのディジタル出力として使用される。ＬＥＤ３５はテスト用であり、キャリブレーション処理を行っていることを示し、また、キャリブレーション処理を行っている間にボリュームの検出電圧に応じて点滅するインジケータとなる。
【００２９】
マイクロコンピュータ１１のピンＰｉｎ４は、不使用のため、抵抗３６を介して電源ライン３１に接続され、プルアップされている。
【００３０】
マイクロコンピュータ１１のピンＰｉｎ５は、抵抗３７を介して、端子２２に接続されると共に、コンデンサ３８を介して、接地ライン３０に接続される。マイクロコンピュータ１１のピンＰｉｎ５は、ボリュームのアナログ電圧を入力するＡ／Ｄチャンネルとして使用される。図４に示すように、端子２２にパチンコ台５０のボリューム５１のアナログ電圧が入力されると、このボリューム５１の電圧値は、マイクロコンピュータ１１のピンＰｉｎ５に入力され、マイクロコンピュータ１１内のＡ／Ｄコンバータ１６（図２）でディジタル化されて処理される。なお、抵抗３７及びコンデンサ３８は、ノイズ除去用である。
【００３１】
マイクロコンピュータ１１のピンＰｉｎ６は、抵抗３９を介して、トランジスタ４０のベースに接続される。トランジスタ４０のコレクタが端子２４に接続される。トランジスタ４０のエミッタが接地ライン３０に接続される。マイクロコンピュータ１１のピンＰｉｎ６は、ＯＮ／ＯＦＦ信号を出力するためのディジタル出力として使用される。このＯＮ／ＯＦＦ信号のディジタル出力は、トランジスタ４０を介して、端子２４から出力される。
【００３２】
マイクロコンピュータ１１のピンＰｉｎ７は、抵抗４１を介して、電源ライン３１に接続されると共に、抵抗４２の一端に接続される。抵抗４２の他端は、スイッチ４３を介して接地ライン３０に接続されると共に、コンデンサ４４を介して接地ライン３０に接続される。マイクロコンピュータ１１のピンＰｉｎ７は、スイッチ４３からの入力を行うディジタル入力として使用される。スイッチ４３は、キャリブレーション操作を行うためのスイッチである。抵抗４１、４２、コンデンサ４４は、チャタリング除去用である。
【００３３】
マイクロコンピュータ１１のピンＰｉｎ８は、接地ライン３０に接続される。また、ノイズによる誤動作を防ぐために、端子２１と端子２３及び２５との間には、コンデンサ４５が接続される。また、電源ライン３１と接地間には、ノイズ除去用の４６が接続され、
本発明の実施形態のハンドル回転検出装置１は、図４に示すように、パチンコ台５０のボリューム５１からの信号線に接続して、ＯＮ／ＯＦＦ信号を形成するのに使用される。
【００３４】
図４において、パチンコ台５０には、盤面制御基板５２が設けられる。盤面制御基板５２は、パチンコ台を制御しているメインとなる基板で、この盤面制御基板５２は、玉送り機構５３を制御している。盤面制御基板５２の構成は、各社の各モデル毎に、相違している。
【００３５】
パチンコ台５０の右下には、ハンドル５４が取り付けられる。ボリューム５１は、このハンドル５４に連動して回動する。ボリューム５１の両端には、所定の電圧が印加されている。ボリューム５１の摺動端子の出力電圧が盤面制御基板５２に送られると共に、ハンドル回転検出装置１の端子２２に供給される。
【００３６】
パチンコ台５０を使用してユーザが遊技を行う場合、ユーザは、ハンドル５４を回転する。ハンドル５４が回転されると、これに連動してボリューム５１が回転し、これにより、ボリューム５１の出力電圧が変化する。このボリューム５１の出力電圧が盤面制御基板５２に送られ、この盤面制御基板５２で、ボリューム５１の回転角度に応じて、玉送り機構５３が制御される。
【００３７】
また、ボリューム５１の出力電圧は、ハンドル回転検出装置１の端子２２に送られる。ハンドル回転検出装置１は、ボリューム５１の出力電圧から、ＯＮ／ＯＦＦ信号を形成し、このＯＮ／ＯＦＦ信号を端子２４から出力する。このＯＮ／ＯＦＦ信号により、パチンコ台５０のユーザが玉を打ち出して遊技を行っているのか、玉の打ち出しを行っていないのかを判断することができる。
【００３８】
図５は、ハンドル５４を回転させてボリューム５１の抵抗値を変化させたときのボリューム５１の出力電圧の変化を示したものである。ボリューム５１はハンドル５４と連動しており、ハンドル５４を右側に回転させると、その回転角度に応じて、ボリューム５１の出力電圧が変化する。図５において、横軸はハンドル５４の回転角を示し、縦軸はボリューム５１の出力電圧を示す。
【００３９】
図５（Ａ）の例では、ハンドル５４を左端にしたときのＯＦＦ時電圧ＶｏｆｆがＶ１である。ハンドル５４を右側に回転していくと、図５（Ａ）に示す傾き角度で、ボリューム５１の出力電圧が上昇していく。図５（Ａ）の例では、閾値電圧ＶｔｈがＶ１１となっており、ボリューム５１の出力電圧がＶ１１より低いときには、打玉ＯＦＦの状態となる。ハンドル５４を角度θ１以上回転させると、ボリューム５１の出力電圧がＶ１１より高くなり、打玉ＯＮの状態となる。
【００４０】
図５（Ｂ）の例では、ハンドル５４を左端にしたときのＯＦＦ時電圧ＶｏｆｆがＶ２であり、図５（Ａ）の例より高くなっている。また、ハンドル５４を右側に回転していくと、図５（Ｂ）に示すように、図５（Ａ）の場合より急峻な傾き角度で、ボリューム５１の出力電圧が上昇していく。図５（Ｂ）の例では、閾値電圧ＶｔｈがＶ１２となっており、ボリューム５１の出力電圧がＶ１２より低いときには、打玉ＯＦＦの状態となる。ハンドル５４を角度θ２以上回転させると、ボリューム５１の出力電圧がＶ１２より高くなり、打玉ＯＮの状態となる。
【００４１】
図５（Ｃ）の例では、ハンドル５４を左端にしたときのＯＦＦ時電圧ＶｏｆｆがＶ３であり、高い電圧になっている。ハンドル５４を右側に回転していくと、図５（Ｃ）に示す傾き角度で、ボリューム５１の出力電圧が下降していく。図５（Ｃ）の例では、閾値電圧ＶｔｈがＶ１３となっており、ボリューム５１の出力電圧がＶ１３より高いときには、打玉ＯＦＦの状態となる。ハンドル５４を角度θ１以上回転させると、ボリューム５１の出力電圧がＶ１３より下がり、打玉ＯＮの状態となる。
【００４２】
このように、ハンドル５４を回転させたときのボリューム５１の出力電圧の変化は、各社の各モデル毎に、相違している。更に、同一のメーカーの同一のモデルであっても、個体差がある。したがって、ボリューム５１の出力電圧から、単純に、打玉ＯＮ状態と打玉ＯＦＦ状態とを判断することは困難である。
【００４３】
そこで、本発明の実施形態のハンドル回転検出装置１は、キャリブレーション処理を行うことで、どのような会社のどのようなモデルであっても、適切に打玉ＯＮの状態と打玉ＯＦＦの状態とを判断できるようにしている。
【００４４】
図６は、マイクロコンピュータ１１のキャリブレーション処理を行うときの動作を示すフローチャートである。図６において、スイッチ４３が一定時間以上ＯＮになっていたかどうかが判断される（ステップＳ１）。スイッチ４３が所定時間以上ＯＮとなっていた場合には、キャリブレーション処理に入る。
【００４５】
キャリブレーション処理では、モニタ用のＬＥＤ３３が消灯状態となり、テスト用のＬＥＤ３５が高速点滅状態となる（ステップＳ２）。
【００４６】
次に、ハンドル５４を左端（始端）に設定し（ステップＳ３）、ボリューム５１の電圧のＡ／Ｄ変換値Ｖｄｅｔを取り込む（ステップＳ４）。このボリューム５１の電圧のＡ／Ｄ変換値Ｖｄｅｔを、ＯＦＦ時電圧Ｖｏｆｆとして設定する（ステップＳ５）。
【００４７】
そして、ＯＦＦ時電圧Ｖｏｆｆが所定電圧より低いかどうかが判断される（ステップＳ６）。これは、ハンドル５４を回転させると、ボリューム５１の出力電圧が上昇するタイプか（図５（Ａ）及び図５（Ｂ））、ハンドル５４を回転させると、ボリューム５１の出力電圧が下降するタイプ（図５（Ｃ））かを判断するものである。
【００４８】
すなわち、図５（Ａ）及び図５（Ｂ）に示すように、ハンドル５４を回転させるとボリューム５１の出力電圧が上昇するタイプの場合には、ＯＦＦ時電圧Ｖｏｆｆが所定電圧より低くなる。これに対して、図５（Ｃ）に示すように、ハンドル５４を回転させるとボリューム５１の出力電圧が下降するタイプの場合には、ＯＦＦ時電圧Ｖｏｆｆが所定電圧より高くなる。所定電圧は、例えば電源電圧が５Ｖの場合、その１／２の例えば２．５Ｖに設定される。
【００４９】
ステップＳ６で、ＯＦＦ時電圧Ｖｏｆｆが所定電圧より低い場合には、ハンドルの回転角度に対してボリュームの出力電圧が上昇するタイプの機種であると判断できる。この場合には、閾値電圧Ｖｔｈの初期設定値がＯＦＦ時電圧Ｖｏｆｆより微少電圧Δｅだけ高い電圧（Ｖｏｆｆ＋Δｅ）に設定される（ステップＳ７）。微少電圧Δｅは例えば０．０５Ｖである。
【００５０】
閾値電圧Ｖｔｈが初期設定値（Ｖｏｆｆ＋Δｅ）に設定されたら、ハンドル５４を打玉ＯＦＦと打玉ＯＮの境界付近まで回転する（ステップＳ８）。そして、このときのボリューム５１の出力電圧のＡ／Ｄ変換値Ｖｄｅｔを取り込み（ステップＳ９）、ボリューム５１の出力電圧のＡ／Ｄ変換値Ｖｄｅｔと、ステップＳ７で設定された閾値電圧Ｖｔｈとを比較する（ステップＳ１０）。
【００５１】
ステップＳ１０での比較結果、ボリューム５１の出力電圧のＡ／Ｄ変換値Ｖｄｅｔが、このときに設定した閾値電圧Ｖｔｈより大きい場合には、打玉ＯＮの状態であると判断され、打玉ＯＮのときのＯＮ／ＯＦＦ信号が出力され、モニタ用のＬＥＤが点灯される（ステップＳ１１）。そして、ステップＳ１２で、ボリューム５１の出力電圧のＡ／Ｄ変換値Ｖｄｅｔに応じた点滅間隔で、テスト用のＬＥＤ３５が点滅される。
【００５２】
ステップＳ１０での比較結果、ボリューム５１の出力電圧のＡ／Ｄ変換値Ｖｄｅｔが、このときに設定した閾値電圧Ｖｔｈより小さい場合には、打玉ＯＦＦの状態であると判断され、打玉ＯＦＦのときのＯＮ／ＯＦＦ信号が出力され、モニタ用のＬＥＤが消灯される（ステップＳ１３）。そして、ステップＳ１２で、ボリューム５１の出力電圧のＡ／Ｄ変換値Ｖｄｅｔに応じた点滅間隔で、テスト用のＬＥＤ３５が点滅される。
【００５３】
そして、スイッチ４３が短押しされたかどうかが判断され（ステップＳ１４）、スイッチ４３が短押しされたら、閾値電圧ＶｔｈをΔｅだけ増加し（ステップＳ１５）、この（Ｖｔｈ＋Δｅ）を新たな閾値電圧として、ステップＳ８にリターンする。
【００５４】
ユーザは、ハンドル５４を打玉ＯＦＦと打玉ＯＮの境界付近まで回転させ、実際のパチンコ台の玉の打ち出しの様子と、モニタ用のＬＥＤ３３の点灯状態を確認しながら、ステップＳ８〜Ｓ１４を繰り返すことで、閾値電圧Ｖｔｈを実際の閾値電圧に近づけていく。
【００５５】
すなわち、ハンドル５４を打玉ＯＦＦ状態と打玉ＯＮ状態の境界よりわずかに手前にしておき、スイッチ４３を繰り返し短押していく。この場合、最初は、設定した閾値電圧Ｖｔｈが実際の閾値電圧より低いので、打玉ＯＦＦの状態であるにもかかわらず、モニタ用のＬＥＤ３３が点灯する。スイッチ４３を繰り返し短押しすると、短押しされる毎に、閾値電圧ＶｔｈがΔｅずつ増加していき、設定した閾値電圧Ｖｔｈが実際の閾値電圧に近づいていく。スイッチ４３の短押しを繰り返し、モニタ用のＬＥＤ３３が消灯するようなったときの閾値電圧Ｖｔｈが実際の閾値電圧と略一致したものとなる。
【００５６】
このように、ユーザは、モニタ用のＬＥＤ３３の点灯状態を確認しながら、モニタ用のＬＥＤ３３の状態をモニタして、閾値電圧Ｖｔｈを実際の閾値電圧に一致させる。そして、モニタ用のＬＥＤ３３の点灯状態から、設定された閾値電圧Ｖｔｈが実際の閾値電圧と略一致したと判断されたら、ステップＳ１６で、スイッチ４３を長押しする。
【００５７】
ステップＳ１６で、スイッチ４３が長押しされたら、このとき設定されていたＯＦＦ時電圧Ｖｏｆｆと、閾値電圧Ｖｔｈが、メモリ（ＥＥＰＲＯＭ１５）に格納される（ステップＳ１７）。
【００５８】
ステップＳ６で、ＯＦＦ時電圧Ｖｏｆｆが所定電圧より高い場合には、ハンドルの回転角度に対してボリュームの出力電圧が下降するタイプの機種であると判断できる。この場合には、閾値電圧Ｖｔｈの初期設定値がＯＦＦ時電圧Ｖｏｆｆより微少電圧Δｅだけ低い電圧（Ｖｏｆｆ−Δｅ）に設定される（ステップＳ１８）。微少電圧Δｅは例えば０．０５Ｖである。
【００５９】
閾値電圧Ｖｔｈが初期設定値（Ｖｏｆｆ−Δｅ）に設定されたら、ハンドル５４を打玉ＯＦＦ状態と打玉ＯＮ状態の境界付近まで回転する（ステップＳ１９）。そして、このときのボリューム５１の出力電圧のＡ／Ｄ変換値Ｖｄｅｔを取り込み（ステップＳ２０）、ボリューム５１の出力電圧のＡ／Ｄ変換値Ｖｄｅｔと、ステップＳ８で設定された閾値電圧Ｖｔｈとを比較する（ステップＳ２１）。
【００６０】
ステップＳ２１での比較結果、ボリューム５１の出力電圧のＡ／Ｄ変換値Ｖｄｅｔが、このとき設定した閾値電圧Ｖｔｈより低い場合には、打玉ＯＮ状態であると判断され、打玉ＯＮのときのＯＮ／ＯＦＦ信号が出力され、モニタ用のＬＥＤが点灯される（ステップＳ２２）。そして、ステップＳ２３で、ボリューム５１の出力電圧のＡ／Ｄ変換値Ｖｄｅｔに応じた点滅間隔で、テスト用のＬＥＤ３５が点滅される。
【００６１】
ステップＳ２１での比較結果、ボリューム５１の出力電圧のＡ／Ｄ変換値Ｖｄｅｔが、このとき設定した閾値電圧Ｖｔｈより高い場合には、打玉ＯＦＦの状態であると判断され、打玉ＯＦＦのときのＯＮ／ＯＦＦ信号が出力され、モニタ用のＬＥＤが消灯される（ステップＳ２４）。そして、ステップＳ２３で、ボリューム５１の出力電圧のＡ／Ｄ変換値Ｖｄｅｔに応じた点滅間隔で、テスト用のＬＥＤ３５が点滅される。
【００６２】
そして、スイッチ４３が短押しされたかどうかが判断され（ステップＳ２５）、スイッチ４３が短押しされたら、閾値電圧ＶｔｈをΔｅだけ減少し（ステップＳ２６）、この（Ｖｔｈ−Δｅ）を新たな閾値電圧として、ステップＳ１９にリターンする。
【００６３】
ユーザは、ハンドル５４を打玉ＯＦＦ状態と打玉ＯＮ状態とのの境界付近まで回転させ、実際のパチンコ台の玉の打ち出しの様子と、モニタ用のＬＥＤ３３の点灯状態を確認しながら、ステップＳ１８〜Ｓ２６を繰り返すことで、閾値電圧Ｖｔｈを実際の閾値電圧に近づけていく。そして、モニタ用のＬＥＤ３３の点灯状態から、設定された閾値電圧Ｖｔｈが実際の閾値電圧と略一致したと判断されたら、スイッチ４３を長押しする。
【００６４】
ステップＳ２７で、スイッチ４３が長押しされたら、このとき設定されていたＯＦＦ時電圧Ｖｏｆｆと、閾値電圧Ｖｔｈが、メモリ（ＥＥＰＲＯＭ１５）に格納される（ステップＳ１７）。
【００６５】
以上のようなキャリブレーション処理により、実際のパチンコ台のＯＦＦ時電圧や閾値電圧に合致するように、ハンドル回転検出装置１のＯＦＦ時電圧Ｖｏｆｆ及び閾値電圧Ｖｔｈが設定され、この設定データがメモリ（ＥＥＰＲＯＭ１５）に格納される。
【００６６】
図７は、ボリューム５１の出力信号を入力してＯＮ／ＯＦＦ信号を出力するときの処理を示すフローチャートである。図７において、電源が投入されると、初期化処理が行われる（ステップＳ５１）。初期化処理では、モニタ用のＬＥＤ３３は消灯され、テスト用のＬＥＤ３５は消灯される。
【００６７】
次に、メモリ（ＥＥＰＲＯＭ１５）から、ＯＦＦ時電圧Ｖｏｆｆと、閾値電圧Ｖｔｈが読み出される（ステップＳ５２）。そして、ＯＦＦ時電圧Ｖｏｆｆ及び閾値電圧Ｖｔｈが有効データであるかどうかが判断される（ステップＳ５３）。
【００６８】
ＯＦＦ時電圧Ｖｏｆｆ及び閾値電圧Ｖｔｈは、前述のキャリブレーション処理で設定されるが、キャリブレーション処理が適切に行われていない場合が想定される。キャリブレーション処理が適切に行われていない場合には、ステップＳ５３で、ＯＦＦ時電圧Ｖｏｆｆ及び閾値電圧Ｖｔｈが有効データでないと判断される。この場合には、ＯＦＦ時電圧Ｖｏｆｆ及び閾値電圧Ｖｔｈは、規定電圧に設定される（ステップＳ５４）。ＯＦＦ時電圧Ｖｏｆｆの規定電圧は例えば０Ｖ、閾値電圧Ｖｔｈの規定電圧は例えば２．５Ｖである。
【００６９】
そして、ＯＦＦ時電圧Ｖｏｆｆが閾値電圧Ｖｔｈより低いかどうかが判断される（ステップＳ５５）。これは、ハンドル５４を回転させると、ボリューム５１の出力電圧が上昇するタイプか（図５（Ａ）及び図５（Ｂ）参照）、ハンドル５４を回転させると、ボリューム５１の出力電圧が下降するタイプ（図５（Ｃ））かを判断するものである。
【００７０】
すなわち、図５（Ａ）及び図５（Ｂ）に示すように、ハンドル５４を回転させるとボリューム５１の出力電圧が上昇するタイプの場合には、ＯＦＦ時電圧Ｖｏｆｆが閾値電圧Ｖｔｈより低くなる。これに対して、図５（Ｃ）に示すように、ハンドル５４を回転させるとボリューム５１の出力電圧が下降するタイプの場合には、ＯＦＦ時電圧Ｖｏｆｆが閾値電圧Ｖｔｈより高くなる。
【００７１】
ステップＳ５５で、閾値電圧ＶｔｈがＯＦＦ時電圧Ｖｏｆｆより高い場合には、ハンドル５４を回転させるとボリューム５１の出力電圧が上昇するタイプであると判断される。この場合には、ハンドル５４が回転され（ステップＳ５６）、ボリューム５１の出力電圧のＡ／Ｄ変換値Ｖｄｅｔが取り込まれ（ステップＳ５７）、ボリューム５１の出力電圧のＡ／Ｄ変換値Ｖｄｅｔが閾値電圧Ｖｔｈより高いかどうかが判断される（ステップＳ５８）。
【００７２】
ボリューム５１の出力電圧のＡ／Ｄ変換値Ｖｄｅｔが閾値電圧Ｖｔｈより高い場合には、打玉ＯＮ状態と判断され、打玉ＯＮのときのＯＮ／ＯＦＦ信号が出力され、モニタ用のＬＥＤ３３が点灯状態となり、テスト用のＬＥＤ３５が点灯状態となる（ステップＳ５９）。そして、ステップＳ５５にリターンされる。
【００７３】
ボリューム５１の出力電圧のＡ／Ｄ変換値Ｖｄｅｔが閾値電圧Ｖｔｈより低い場合には、打玉ＯＦＦ状態と判断され、打玉ＯＦＦのときのＯＮ／ＯＦＦ信号が出力され、モニタ用のＬＥＤ３３が消灯状態となり、テスト用のＬＥＤ３５が消灯状態となる（ステップＳ６０）。そして、ステップＳ５５にリターンされる。
【００７４】
ステップＳ５５で、閾値電圧ＶｔｈがＯＦＦ時電圧Ｖｏｆｆがより低い場合には、ハンドル５４を回転させるとボリューム５１の出力電圧が下降するタイプであると判断される。この場合には、ハンドル５４が回転され（ステップＳ６１）、ボリューム５１の出力電圧のＡ／Ｄ変換値Ｖｄｅｔが取り込まれ（ステップＳ６２）、ボリューム５１の出力電圧のＡ／Ｄ変換値Ｖｄｅｔが閾値電圧Ｖｔｈより低いかどうかが判断される（ステップＳ６３）。
【００７５】
ボリューム５１の出力電圧のＡ／Ｄ変換値Ｖｄｅｔが閾値電圧Ｖｔｈより低い場合には、打玉ＯＮ状態と判断され、打玉ＯＮのときのＯＮ／ＯＦＦ信号が出力され、モニタ用のＬＥＤ３３が点灯状態となり、テスト用のＬＥＤ３５が点灯状態となる（ステップＳ６４）。そして、ステップＳ６１にリターンされる。
【００７６】
ボリューム５１の出力電圧のＡ／Ｄ変換値Ｖｄｅｔが閾値電圧Ｖｔｈより高い場合には、打玉ＯＦＦ状態と判断され、打玉ＯＦＦのときのＯＮ／ＯＦＦ信号が出力され、モニタ用のＬＥＤ３３が消灯状態となり、テスト用のＬＥＤ３５が消灯状態となる（ステップＳ６０）。そして、ステップＳ６１にリターンされる。
【００７７】
以上説明したように、本発明の実施の形態では、ハンドルの回転に連動するボリュームの出力電圧により玉の打ち出しを制御するようにしたパチンコ台に取り付けて、ＯＮ／ＯＦＦ信号を出力させることができる。このＯＮＯＦＦ信号により、パチンコ台が玉の打ち出し状態にあるかどうかを判断することができ、これにより、不正使用を防ぐことができる。また、実際のボリュームの出力電圧に応じて、ＯＦＦ時電圧Ｖｏｆｆ及び閾値電圧Ｖｔｈを調整するキャリブレーション処理を行えるので、メーカーや機種の異なる各種のパチンコ台に対応できる。
【００７８】
本発明は、上述した実施形態に限定されるものではなく、本発明の要旨を逸脱しない範囲内で様々な変形や応用が可能である。
【産業上の利用可能性】
【００７９】
本発明は、ハンドルの回転に連動するボリュームの出力電圧により玉の打ち出しを制御するようにしたパチンコ台に取り付け、玉の打ち出し状態にあるかどうかを検出するパチンコ台のハンドル回転検出装置として広く用いることができる。
【図面の簡単な説明】
【００８０】
【図１】本発明の実施形態のハンドル回転検出装置の構成を示す接続図である。
【図２】本発明の実施形態のハンドル回転検出装置におけるマイクロコンピュータの説明に用いるブロック図である。
【図３】本発明の実施形態のハンドル回転検出装置におけるマイクロコンピュータのピン配置の説明に用いるブロック図である。
【図４】本発明の実施形態のハンドル回転検出装置の使用方法の説明に用いるブロック図である。
【図５】本発明の実施形態のハンドル回転検出装置の説明に用いるグラフである。
【図６】本発明の実施形態のハンドル回転検出装置のキャリブレーション処理の説明に用いるフローチャートである。
【図７】本発明の実施形態のハンドル回転検出装置のＯＮ／ＯＦＦ信号形成処理の説明に用いるフローチャートである。
【符号の説明】
【００８１】
１  ハンドル回転検出装置
１１  マイクロコンピュータ
１２  ＣＰＵ
１３  フラッシュプログラムメモリ
１４  ＲＡＭ
１５  ＥＥＰＲＯＭ
１６  Ａ／Ｄコンバータ
１７  タイマ
１８  Ｉ／Ｏポート
３３  モニタ用のＬＥＤ
３５  テスト用のＬＥＤ
５０  パチンコ台
５１  ボリューム
５２  盤面制御基板
５３  玉送り機構
５４  ハンドル
【図１】
2007151926.tif 000003
【図２】
2007151926.tif 000004
【図３】
2007151926.tif 000005
【図４】
2007151926.tif 000006
【図５】
2007151926.tif 000007
【図６】
2007151926.tif 000008
【図７】
2007151926.tif 000009